(57)【要約】  【課題】ダルマ孔によるハンモック掛具とヘルメット殻体との止着の外れ易さを、シーソー型に回動する板状係止め部を設けて、簡易な構成で防止する。  【解決手段】ヘルメットの殻体に設けられた内装取付鋲に固着するためのハンモック掛具７に形成された孔部８の下部に、内装取付鋲に係合する係合孔１８を設け、該係合孔１８直上の孔部に該ハンモック掛具７の左右のフレーム７ａ，７ｂの内側に形成された回動軸１９Ａ，１９Ｂを介して中央が支持された内装取付鋲の鋲頭部を係止する板状係止め部１９を設ける。該板状係止め部１９の前記係合孔１８と反対側の端部を外側に押圧回動すると、該係合孔１８から内装取付鋲の鋲頭部が該板状係止め部の表面を摺動して、ハンモック掛具７が内装取付鋲から着脱される。【選択図】図２
2009013549.tif 000002
【特許請求の範囲】
【請求項１】
ヘルメットの殻体に設けられた内装取付鋲に固着するためのハンモック掛具に形成された孔部の下部に、内装取付鋲に係合する係合孔を設け、該係合孔直上の孔部に該ハンモック掛具の左右のフレームの内側に形成された回動軸を介して中央が支持された内装取付鋲の鋲頭部を係止する板状係止め部を設け、該板状係止め部の前記係合孔と反対側の端部を外側に押圧回動することにより、該係合孔から内装取付鋲の鋲頭部が該板状係止め部の表面を摺動して、ハンモック掛具が内装取付鋲から着脱される構成としたことを特徴とするヘルメットのハンモック掛具。
【請求項２】
上記内装取付鋲の鋲頭部を係止する板状係止め部の表側に、該板状係止め部の押圧回動時、過度の力によって前記内装取付鋲より上記ハンモック掛具が離脱して内装取付鋲に指が衝突することを防ぐためのストッパーを形成したことを特徴とする請求項１記載のヘルメットのハンモック掛具。
【請求項３】
上記ハンモック掛具を低密度ポリエチレンにて成形すると共に、上記板状係止め部の板状の部分と上記ハンモック掛具の左右のフレーム内側に形成されたブラケット部とを横断面視アーチ状又は台形状を呈する如く結合して弾性部を構成して成り、該弾性部にて板状係止め部の押圧回動に際し弾性復元力を発生させた構成としたことを特徴とする請求項１または２記載のヘルメットのハンモック掛具。
【請求項４】
上記板状係止め部の前記係合孔と反対側の端部から斜め上方に突き出た横断面視直線状又はアーチ状を呈するように形成された弾性構造部を設け、該弾性構造部の先端部がヘルメットの殻体の裏面に接触して弾性復元力を発生させた構成としたことを特徴とする請求項１，２または３記載のヘルメットのハンモック掛具。
【発明の詳細な説明】
【技術分野】
【０００１】
本発明は、ヘルメットのハンモック掛具に関し、特に、ヘルメットの内装取付鋲に係合するハンモック掛具に形成された孔部の下部に設けられた係合孔が上記取付鋲から容易に離脱することがなく、他方、板状係止め部の上端側端部を押圧回動することによって、該内装取付鋲が該係合孔から板状係止め部の表側を摺動してハンモック掛具が該内装取付鋲から着脱することができる構成としたヘルメットのハンモック掛具に関するものである。
【背景技術】
【０００２】
従来この種のヘルメットに固着するハンモック掛具は、ヘルメットの殻体の内装取付鋲に前記ハンモック掛具に形成されたダルマ孔若しくはひょうたん型嵌合孔を通じて係合していた（特許文献１参照）。
【特許文献１】特開２０００−３０３２４４号公報
【０００３】
図３（ａ）（ｂ）は、従来のハンモック掛具をヘルメットの殻体（シェル：ｓｈｅｌｌ）の内装取付鋲に取付ける態様を示すものであり、同図（ａ）はハンモック掛具の斜視図、同（ｂ）は、該ハンモック掛具をヘルメットの殻体に固着させた状態を示す。図中３１は、殻体Ｓの内装取付鋲Ｐに取付けて装着者の頭部を保護するハンモックであり、その下部先端にハンモック掛具３２が形成されている。該ハンモック掛具３２には孔部３３が穿設されており、該孔部３３は、上方から順次、挿入孔３３ａ、連通孔３３ｂが形成されており、最下部に係合孔３３ｃが形成されている。前記孔部３３の挿入孔３３ａにヘルメットの殻部Ｓの内装取付鋲Ｐを挿入し該内装取付鋲の鋲頭部Ｐａの下部を前記連通孔３３ｂを通じて最終的に最下部に形成された係合孔３３ｃに固定される。図中３５は、盛上げガード部で、前記鋲頭部Ｐａを保護するために盛り上がった形状をしている。斯くして、ハンモック３１はハンモック掛具３２を係合手段としてヘルメットの殻体Ｓに固着されるものである。
【０００４】
しかしながら、このようなダルマ孔構造の掛具３２は、一度の取付によって、挿入孔３３ａを構成するスリット部の一部が破壊され、それによって、ヘルメットの殻体とハンモック掛具との結合力が低下し、運送中の振動や衝撃によって、ヘルメットの殻体からハンモックが脱落するという問題が生じていた。
【０００５】
また、本来ヘルメット用のハンモックは、ヘルメットの外側から来る衝撃を、ヘルメット殻体（本体）と共に衝撃を吸収することを目的としているため、弾性反発力のある材料で以ってハンモックを成形することができなかった。なぜならば、ハンモックが弾性反発力を有していては安全な間隔を保持してヘルメットの外的衝撃を吸収することができず装着者の保全防護を達成することができないからである。そのため、ハンモック掛具部分に何らかの反発力を持たせた構造を採用させようとするときに、該掛具部分のみを別材料で成形する必要があった。しかし、そのような構成を採用すると、ハンモックを成形するに当たり、金型内において二重の成形を行う必要があり、又、成形された部品を後工程で結束しようとすると、コストの上昇を回避することができないという問題に逢着した。
【発明の開示】
【発明が解決しようとする課題】
【０００６】
本発明は、上記の如き従来例の欠点を除去し、ヘルメット用のハンモック掛具について、安いコストで、内装取付鋲から外れることのないハンモック掛具を提供することが必要であるという技術的課題が発生してきており、該課題を解決することが本発明の目的である。
【課題を解決するための手段】
【０００７】
本発明は、上記目的を達成するために提案されたものであり、請求項１記載の発明は、ヘルメットの殻体に設けられた内装取付鋲に固着するためのハンモック掛具に形成された孔部の下部に、内装取付鋲に係合する係合孔を設け、該係合孔直上の孔部に該ハンモック掛具の左右のフレームの内側に形成された回動軸を介して中央が支持された内装取付鋲の鋲頭部を係止する板状係止め部を設け、該板状係止め部の前記係合孔と反対側の端部を外側に押圧回動することにより、該係合孔から内装取付鋲の鋲頭部が該板状係止め部の表面を摺動して、ハンモック掛具が内装取付鋲から着脱される構成としたヘルメットのハンモック掛具を提供するものである。
【０００８】
また、請求項２記載の発明は、上記内装取付鋲の鋲頭部を係止する板状係止め部の表側に、該板状係止め部の押圧回動時、過度の力によって前記内装取付鋲より上記ハンモック掛具が離脱して内装取付鋲に指が衝突することを防ぐためのストッパーを形成した請求項１記載のヘルメットのハンモック掛具を提供するものである。
【０００９】
そして、請求項３記載の発明は、上記ハンモック掛具を低密度ポリエチレンにて成形すると共に、上記板状係止め部の板状の部分と上記ハンモック掛具の左右のフレーム内側に形成されたブラケット部とを横断面視アーチ状又は台形状を呈する如く結合して弾性部を構成して成り、該弾性部にて板状係止め部の押圧回動に際し弾性復元力を発生させた構成とした請求項１または２記載のヘルメットのハンモック掛具を提供するものである。
【００１０】
そして、請求項４記載の発明は、上記板状係止め部の前記係合孔と反対側の端部から斜め上方に突き出た横断面視直線状又はアーチ状を呈するように形成された弾性構造部を設け、該弾性構造部の先端部がヘルメットの殻体の裏面に接触して弾性復元力を発生させた構成とした請求項１，２または３記載のヘルメットのハンモック掛具を提供するものである。
【発明の効果】
【００１１】
請求項１記載の発明は、殻体の内装取付鋲に係合する係合孔直上の孔部にハンモック掛具の左右フレームの内側に形成された回動軸を介して中央が支持された内装取付鋲の鋲頭部を係止する板状係止め部を設け、該板状係止め部の前記係合部と反対側の端部を外側に押圧回動することにより、該係合部から内装取付鋲の鋲頭部を該板状係止め部の表面が摺動して、ハンモック掛具が内装取付鋲から着脱される構成としたので、上記板状係止め部の係合部と反対側の端部を外側に押圧回動することにより板状係止め部が内装取付鋲の停止を解除することとなる。
【００１２】
斯くして、ハンモックとヘルメットの殻体との脱着を容易に行なうことができると共に、装着に当っては、板状係止め部の係合部と反対側端部を外側への押圧回動を停止し内装取付鋲の鋲頭部に板状係止め部の表面側を摺動させて上記係合孔に内装取付鋲の鋲頭部下部を容易に係合固定することができる。
【００１３】
また、従来のダルマ孔構造のハンモック掛具は内部取付鋲の鋲首下部を係合孔に固定させる際、締まりばめ寸法のスリットを通過する時スリットの一部が破壊されてヘルメットの殻体とハンモックの結合力が低下し、衝撃により脱落する危惧が存したが、本発明はダルマ孔型のハンモック掛具を採用しておらず、且つ、上記板状係止め部で内装取付鋲のスライドを停止するので、斯かる脱落の危惧を回避することができる。
【００１４】
又、請求項２記載の発明は、内装取付鋲の鋲頭部を係止する板状係止め部の表側に、該板状係止め部の押圧回動時、過度の力によって前記内装取付鋲より上記ハンモック掛具が離脱して内装取付鋲に指が衝突することを防ぐためのストッパーを形成したので、上記請求項１記載の発明の効果に加え、板状係止め部の前記係合部と反対側の端部を外側に力強く押圧回動しても、上記ストッパーにより、内装取付鋲に指が触れることがなく、操作者が怪我をする虞が回避される。
【００１５】
更に、請求項３記載の発明は、上記ハンモック掛具を低密度ポリエチレンにて成形すると共に、上記板状係止め部の板状の部分と上記ハンモック掛具の左右のフレーム内側に形成されたブラケット部とを横断面視アーチ状又は台形状を呈する如く結合して弾性部を構成して成り、該弾性部によって板状係止め部の押圧回動に際し弾性復元力を発生させたので、前記請求項１，２記載の発明の効果に加え、上記板状係止め部の前記係合部と反対側の端部を外側に押圧回動した際、板状係止め部が上記弾性部により、自ずと弾性復元して元の状態が維持されることとなる。この弾性部の構成により、低密度ポリエチレン（ＬＤＰＥ）に代表される反発力のないプラスチック素材を使用しておりながら、弾性反発力を発生することができ、それ故、一体成形を可能としつつ弾性反発力をも併有し、コストダウンを図ることができるというメリットがある。
【００１６】
そして更に、請求項４記載の発明は、上記板状係止め部の前記係合部と反対側端部から斜め上方に突き出た横断面視直線状又はアーチ状を呈するように形成した弾性構造部を設け、該弾性構造部の先端部がヘルメット本体の裏面に接触して弾性復元力を発生させたので、前記請求項１，２，３記載の発明の効果に加え、上記弾性構造部の先端部がヘルメット本体と接触することにより弾性反発力を生み出し、上記板状係止め部が該弾性構造部の復元力により元の状態に維持される。
【発明を実施するための最良の形態】
【００１７】
ヘルメットの殻体の内装取付鋲に固着するためのハンモック掛具に形成された孔部の下部に、内装取付鋲に係合する係合孔を設け、該係合孔直上の孔部に該ハンモック掛具の左右フレームの内側に形成された回動軸を介して中央が支持された内装取付鋲の鋲頭部を係止する板状係止め部を設け、該板状係止め部の前記係合部と反対側の端部を押下回動することにより、該係合孔から内装取付鋲の鋲頭部が該板状係止め部の表面を摺動し、ハンモック掛具が内装取付鋲から着脱する構成を採用することによって、内装取付鋲から容易に外れることのないハンモック掛具の提供を実現した。
【実施例１】
【００１８】
以下本発明の好適な実施例を図１、図２（ａ）（ｂ）に従って詳述する。図１は、本実施例に係るヘルメット１の内面側を示す裏面図である。同図において、２は合成樹脂の射出成形（インジェクションモールディング）によって形成されたヘルメット１の殻体（シェル：ｓｈｅｌｌ）であり、該殻体２には、装着者の頭部に冠着することができるように略半球状に形成されている。前記殻体２の内側下縁部には、８個の内装取付鋲（ブラケット）３Ａ〜３Ｈが所定間隔を有して設けられている。同図において、左側の内装取付鋲３Ａ〜３Ｄと右側の内装取付鋲３Ｅ〜３Ｈは、相互に相対峙する関係位置に配置されている。
【００１９】
また、殻体２の内面側にハンモック４が設けられており、該ハンモック４は、合成樹脂を素材として射出成形にて形成されている。該ハンモック４は殻体２の頂上部直下に位置する頭頂板５と、該頭頂板５から放射状に延びる８本の可撓性帯状脚部６Ａ〜６Ｈとから成り、各帯状脚部６Ａ〜６Ｈの先端部には、孔部が穿設されて成るハンモック掛具７Ａ〜７Ｈが設けられている（孔部８の詳細は後述）。なお、図１中、９は、ハンモック４の頭頂板５において、装着者の頭頂部に相当する個所に開穿された通気を誘うための孔を示す。
【００２０】
上記ハンモック４の内側面には、図１に示すように、帯状のヘッドバンド１２が設けられており、該ヘッドバンド１２は全体として略Ｃ字状に形成されている。又、該ヘッドバンド１２の前方側（図１おける下側）内面には、不織布等から成る汗吸収布１２ａが装着されている。更に、ヘッドバンド１２外面には長孔（図示省略）が形成され、各長孔には係止ピン１３が位置調整可能に嵌合されている。又、該係止ピン１３の先端部は夫々、ハンモック４側に設けた上記ヘッドバンド用取付孔(図示省略)に着脱可能に係止されている。
【００２１】
更に又、ヘッドバンド１２の後方側(図１における上方)左右端部には、装着者の後頭部に当接する分岐部が設けられ、該左右両側の分岐部同士は、アジャスタ機構（図示省略）を介して連結されている。該アジャスタ機構により、ヘッドバンド１２の長さを調整することができるように構成されている。
【００２２】
また、殻体２に設けた左側内装取付鋲３Ａと内装取付鋲３Ｂの間には、左側耳紐１５が掛け渡されていると共に、右側内装取付鋲３Ｇと内装取付鋲３Ｈの間には、右側耳紐１６が掛け渡されている。更に、前記左側耳紐１５と右側耳紐１６との間には、ワンタッチ式バックル付きの顎紐（図示省略）が掛け渡され、該バックルの操作により、顎紐をワンタッチで着脱することができる。
【００２３】
上記ヘルメット１にハンモック４の内装品たるハンモック掛具７Ａ〜７Ｈを組付ける場合は、先ず、殻体２に設けた内装取付鋲３Ａと内装取付鋲３Ｃの間に左側耳紐１５を掛け渡すと共に、内装取付鋲３Ｅと内装取付鋲３Ｇの間に右側耳紐１６を掛け渡す。次に、前記殻体２の内側にハンモック４をセットして、ハンモック４の帯状脚部６Ａ〜６Ｈの先端側に設けた孔部を有するハンモック掛具７Ａ〜７Ｈを夫々、殻体２側の内装取付鋲３Ａ〜３Ｈに掛止固定して、殻体２にハンモック４を取り付ける。
【００２４】
このとき、該帯状脚部６Ａ〜６Ｈは殻体２内面に沿って湾曲形成されて取付けられることとなる。斯くして、ハンモック４は、装着者の頭頂面と適合した形状面を維持して、全体として上方に凸の略半球状曲面を呈して取り付けられる。然る後、ヘッドバンド１２をハンモック４の内側にセットし、該ヘッドバンド１２を係止ピン１３にてハンモック４の取付孔（図示省略）に固定する。
【００２５】
次に、本発明に係るハンモック掛具の好適な実施例を、図２（ａ）（ｂ）に従って、詳述することとする。同図（ａ）は、上記ハンモック４の帯状脚部６（帯状脚部は図１において図示する如く６Ａ〜６Ｈまでの８個あるが、包括的に１個を抽出して記述するときは「６」を用いる）の下部先端部に存するハンモック掛具を裏面からみた裏面側平面図、同じく図（ｂ）は、該ハンモック４の帯状脚部６の下部先端部に存するハンモック掛具の表側を上にした状態の横方向からみた側面図を示す。図中７は、ハンモック４の帯状脚部６の先端に形成されたハンモック掛具を示す。該ハンモック掛具７（ハンモック掛具は図１に示す如く７Ａ〜７Ｈまでの８個あるが、１個を抽出して記述するときは、「７」を用いる）には、孔部８が穿設されており、該孔部８の最下部には係合孔１８が形成されている。該孔部８を通じて上記内装取付鋲３（内装取付鋲は図１に示す如く３Ａ〜３Ｈまでの８個あるが、包括的に１個を抽出して記述するときは、この「３」を用いる）の鋲頭部３ａ（図１参照）を通過させた後、該内装取付鋲３の鋲頭部３ａの下部を締まりばめに形成された係合孔１８に係合させて、上記ハンモック掛具７をヘルメット１の殻体２に固定する。
【００２６】
図において、１９は、上記係合孔１８に係合固定された内装取付鋲３が上記ハンモック掛具４から不慮脱出することを防止するための板状係止め部を示す。該板状係止め部１９は、上記ハンモック掛具７を構成する左右のフレーム７ａ，７ｂの各内側に形成された回動軸１９Ａ，１９Ｂを介して該回動軸を回動の要（軸心）として回動自在に取付けられている（左右は、操作上の便宜から内側からみた場合の左右を言う）。
【００２７】
斯くして、ハンモック掛具７を殻体２の内装取付鋲３に係合固定してなる装着状態においては、上記板状係止め部１９の下端が上記内装取付鋲３の鋲頭部３ａに当り、該内装取付鋲３が上記係合孔１８より不意に脱出し、引いてはハンモック４が殻体２から離脱してしまうということを防止している。尚、上記左右のフレーム７ａ，７ｂは、ハンモック掛具の外縁を所定の厚みに保持し上記内装取付鋲や板状係止め部をガードする働きをしている。また、これ等フレーム７ａ、７ｂを盛上った形に形成すれば、一層ガードの機能を向上させることができる。
【００２８】
他方、上記内装取付鋲３から、ハンモック掛具４を取り外す場合は、上記板状係止め部１９の係合孔１８と反対側の端部を外側に押圧することによって、上記回動軸１９Ａ，１９Ｂを回動の要として該板状係止め部１９の下部先端が内側に回動（揺動）して上記内装取付鋲３の鋲頭部３ａのスライド係止を解除し、然るときは、上記内装取付鋲３の鋲頭部３ａは上記板状係止め部１９の表側を摺動し、また、該内装取付鋲３の鋲首下部が上記係合孔１８の締まりばめとなっている孔入口をスライドし、斯くして、ハンモック掛具４が内装取付鋲３から脱着することができる。
【００２９】
そして、上記板状係止め部１９には、更に、上記内装取付鋲３からハンモック掛具７の上記係合孔１８の係合を解除するために上記板状係止め部の係合孔と反対側の端部を押圧し回動させた際、過度の力で指が上記内装取付鋲３に当って怪我することがないように、該板状係止め部１９の表面に該内装取付鋲３の鋲頭部３ａが当接することによって、該鋲頭部３ａが過度に摺動することを防止するためのストッパー１９ａが設けられている。斯くして、ハンモック掛具７を上記内装取付鋲３から離脱させるにあたり、たとえ、過度の力で、上記板状係止め部１９を回動させて、過度に摺動、スライドさせても、上記ストパーの存在により、操作者が指を怪我することが回避され、安全性の向上に資することができる。
【００３０】
更に、図中、２０は上記板状係止め部１９と上記左右のフレーム間を結ぶブラケット部によって構成された弾性部である。該弾性部２０は、上記ハンモック掛具７を構成する上記左右のフレーム１９ａ，１９ｂの内側から各斜め外方に伸びる前記ブラケット部２０Ｃ，２０Ｄの各先端が上記板状係止め部１９の板状の部分に結合されて構成されている（左右は、操作上の便宜から内側からみた場合の左右を言う）。斯くして、これ等ブラケット部２０Ｃ、板状係止め部１９及びブラケット部２０Ｄで、ハンモック掛具の横断面で捉えた横断面視アーチ状又は台形状に形成されるように構成されている。そして、この場合、ハンモック並びにハンモック掛具は何れも低密度ポリエチレン（ＬＤＰＥ：ｌｏｗ  ｄｅｎｓｉｔｙ  ｐｏｌｙｅｔｈｙｌｅｎｅ）を素材として、射出成形（インジェクションモールディング：ｉｎｊｅｃｔｉｏｎ  ｍｏｌｄｉｎｇ）にて一体成形されるのであるが、上記アーチ状又は台形状に形成された弾性部により、板状係止め部を押圧回動させた際に、斯かるアーチ状又は台形状により弾性復元力を誘い、素材で以って自己復元を生じせしめることができる。
【００３１】
ところで、本来斯かる低密度ポリエチレンは弾性反発性を有しておらず、それ故、板状係止め部を押圧回動させたとき素材それ自体の弾性復元力で自己復元を期待することができないと考えられていた。しかしながら、この実施例においては、上記低密度ポリエチレン（ＬＤＰＥ）を用いながら、上記の如く、左ブラケット部２０Ｃ、板状係止め部１９及び右ブラケット部２０Ｄによって、外側に向かって凸となるように、横断面視アーチ状又は台形状になるように結合しているので弾性力を発生することができるものとなったのである。斯くして、この実施例では、射出成形にもっとも適合する合成樹脂の一つであるＬＤＰＥを使用しながら、弾性復元力をも併有するところのハンモック掛具の提供を達成したものであって、特有の効用を奏し得る技術的内容であると言ってしかるべきである。
【００３２】
また、上記左右のブラケット部２０Ｃ，２０Ｄのブラケット長さ部分（アーム部）自体の横方向断面をも、アーチ状又は台形状になるように外側に向かって凸に形成することができる。斯様にすることによって、上記板状係止め部が尚一層弾力性を増し、自己復元力が向上しハンモック掛具の使い勝手が一層良好になる。
【００３３】
更に又、図中２１は、上記板状係止め部１９の上記係合孔１８と反対側の端部に形成された弾性構造部である。該弾性構造部２１は、上記板状係止め部１９の係合孔１８と反対側の端部、即ち、上側端部から外側斜め上方に延びる弾性構造部であり、該弾性構造部２１が横断面直線状又はアーチ状を呈してなり、上記板状係止め部１９の上端部を押圧して該板状係止め部１９を外側に回動させた際に、この弾性構造部２１も外側に押圧回動して、ヘルメットの殻体の内面に当接して弾性反発力が発生し、而して、板状係止め部１９の押圧回動時に、該板状係止め部１９が元の状態に戻るように、弾性復元力を付与させることができるものである。このようにして、この弾性構造部は、上記弾性部と同様、弾性復元力を強度に高め、ハンモック掛具の使用上の便宜をより一層向上させることができる。
【００３４】
なお、図中２２は、上記板状係止め部１９の裏面の上端近傍に形成された指当ての目印、且つ、指の滑り止めの役目を担なう粗面部である。該粗面部２２により、上記板状係止め部１９の押圧回動時指を当てるための目印となり、且つ、指を当てた際、指が滑ることを防止する効用を発揮することができる。
【００３５】
本発明は、本発明の基本的精神を逸脱しない限り種々の改変を為すことができ、そして、本発明が該改変されたものに及ぶことは当然である。
【図面の簡単な説明】
【００３６】
【図１】本発明の実施例に係るヘルメットの内側を示す裏面図。
【図２】（ａ）本発明の実施例に係るハンモック掛具の裏面側平面図、（ｂ）本発明の実施例に係るハンモック掛具の側面図。
【図３】（ａ）従来例のハンモック掛具の斜視図、ｂ）従来例のハンモック掛具をヘルメットの殻体に装着した状態の縦断面図。
【符号の説明】
【００３７】
１    ヘルメット
２    殻体（シェル）
３，３Ａ〜３Ｈ    内装取付鋲
３ａ    内装取付鋲の鋲頭部
４    ハンモック
５    頭頂板
６，６Ａ〜６Ｈ    帯状脚部
７，７Ａ〜７Ｈ    （孔部付）ハンモック掛具
７ａ，７ｂ  ハンモック掛具の左右のフレーム
８      孔部
９      孔
１０Ａ〜１０Ｄ突起片
１２    ヘッドバンド
１３    係止ピン
１５，１６  耳紐
１８    係合孔  １９    板状係止め部
１９Ａ，１９Ｂ  回動軸ストッパー
１９ａ  ストッパー
２０    弾性部
２０Ｃ，２０Ｄ    ブラケット部
２１    弾性構造部
２２    粗面部
【図１】
2009013549.tif 000003
【図２】
2009013549.tif 000004
【図３】
2009013549.tif 000005